(57)【要約】  【課題】  開閉機構の安定性の確保とコストの極小化を実現し、かつカーテンが設置される家屋の開口部の上縁の高さが人の手の届く高さを超えていても容易に開閉操作できるカーテン構造を提供しようとする。  【解決手段】  カーテンの幅方向の少なくとも両側に昇降コードが上下方向に配され、各昇降コードの下端部がカーテンの下部にそれぞれ固定され、各昇降コードがカーテンの上縁部に設けられた案内部を挿通して上縁部の片側に配された方向転換ガイド側に延長され、方向転換ガイドを経て下方に延長され、下方に延長された昇降コードの束をまとめたコード束を下方に引くことにより、カーテンがひだ状に重なって引き上げられるものであって、前記コード束を挿通させたパイプと、前記コード束の先端と前記パイプの下端との間で前記コード束に一時的に固定されて、前記コード束が該カーテンにかかる重力で上昇方向に付勢されると前記パイプの下端に当接して前記コード束の上昇を止めるストッパとを備えるカーテン昇降操作構造である。  【選択図】  図２
2006006714.tif 000002
【特許請求の範囲】
【請求項１】
カーテン支持部から垂下するカーテンにおいて、該カーテンの幅方向の少なくとも両側に昇降コードが上下方向に配され、各該昇降コードの下端部がカーテンの下部にそれぞれ固定され、各該昇降コードが該カーテンの上縁部に設けられた案内部を挿通して該上縁部の片側に配された方向転換ガイド側に延長され、該方向転換ガイドを経て下方に延長され、下方に延長された該昇降コードの束をまとめたコード束を下方に引くことにより、該カーテンがひだ状に重なって引き上げられるものであって、
前記コード束を挿通させたパイプと、
前記コード束の先端と前記パイプの下端との間で前記コード束に一時的に固定されて、前記コード束が該カーテンにかかる重力で上昇方向に付勢されると前記パイプの下端に当接して前記コード束の上昇を止めるストッパと
を備えるカーテン昇降操作構造。
【請求項２】
前記パイプが前記方向転換ガイドの近傍から垂下された請求項１に記載のカーテン昇降操作構造。
【請求項３】
前記パイプが前記方向転換ガイドに係止される請求項２に記載のカーテン昇降操作構造。
【請求項４】
前記パイプの一端部に前記ストッパが固定された請求項１乃至３のいずれかに記載のカーテン昇降操作構造。
【請求項５】
前記パイプが可撓性である請求項１乃至４のいずれかに記載のカーテン昇降操作構造。
【請求項６】
前記カーテン支持部で、前記カーテンが面ファスナーを介して施工壁面に着脱自在に接合される請求項１乃至３のいずれかに記載のカーテン昇降操作構造。
【発明の詳細な説明】
【技術分野】
【０００１】
本発明は、カーテン支持部から垂下し、コード束を下方に引くことにより、ひだ状に重なって引き上げられるカーテンに関する。
【背景技術】
【０００２】
コード束を下方に引くことによりひだ状に重なって引き上げられるカーテン（例えば、特許文献１参照。）は、従来の横引きのカーテンに比べて開閉操作が容易で装飾効果に優れるので広く用いられる。しかし、コード束のロック具が狭いスペースに収まる必要上構造に制約があり不安定でコードが外れるなど従来の横引きのカーテンに比べて操作の安定性の問題が懸念される。又、ロック具はかなりの数の部品から構成されるので、従来の横引きのカーテンに比べてコストアップの要因ともなる。
【０００３】
このタイプのカーテンのロックの構造を単純化して安定性の確保とコストの極小化を計ったものとして、図１５に示すカーテン構造１００が挙げられる。図１５において、カーテン支持部１２１から垂下するカーテン１０２の両側及び中央に、昇降コード１２２ａ、１２２ｂ、１２２ｃが上下方向に配され、昇降コード１２２ａ、１２２ｂ、１２２ｃそれぞれの下端部１２４ａ、１２４ｂ、１２４ｃがカーテン１０２の下部にそれぞれ固定され、昇降コード１２２ａ、１２２ｂそれぞれがカーテン１０２の上縁部１２５に設けられた案内部１２６ａ、１２６ｂを挿通して上縁部１２５の片側に配された方向転換ガイド１２８側に延長されて更に方向転換ガイド１２８を挿通している。昇降コード１２２ｃは、方向転換ガイド１２８を挿通している。方向転換ガイド１２８を挿通した昇降コード１２２ａ、１２２ｂ、１２２ｃが下方に延長され、下方に延長された昇降コード１２２ａ、１２２ｂ、１２２ｃの束はまとめられて上下方向に配されたコード束１３０となっている。コード束１３０を下方に引くことにより、カーテン１０２がひだ状に重なって引き上げられる。コード束１３０の先端１４２には先端つまみ１４４が固定されている。
【０００４】
図１６に示すように、コード束１３０がカーテン１０２が全開の状態になるように引き上げられた状態で、ストッパ１０８が方向転換ガイド１２８に当接する位置に一時的に固定されることにより、カーテン１０２が全開の状態でセットされる。又、カーテン１０２を閉じるときはストッパ１０８をリリースしてカーテン１０２が自重で降りるようにする。従って、かかる構成においては、カーテン１０２を開状態で固定する操作とストッパ１０８をリリースしてカーテン１０２を降ろす操作は、いずれも人１０がストッパ１０８を手で操作して行なわれるので、ストッパ１０８は人の手の届く位置にしか固定できない。
【０００５】
方向転換ガイド１２８の床面からの高さはカーテン支持部１２１の床面からの高さにほぼ匹敵し、カーテン支持部１２１の床面からの高さは、カーテン１０２が設置される家屋の開口部１０３の上縁１０４の高さにほぼ匹敵するので、カーテン構造１００を適用できる上縁１０４の床面からの高さも、人の手の届く高さ以内に限定される。
【特許文献１】特開２００３−３１０４２２号公報（特許請求の範囲、図１３、図１４）
【発明の開示】
【発明が解決しようとする課題】
【０００６】
本発明の目的は、開閉機構の安定性の確保とコストの極小化を実現し、かつカーテンが設置される家屋の開口部の上縁の高さが人の手の届く高さを超えていても容易に開閉操作できるカーテン構造を提供することである。
【課題を解決するための手段】
【０００７】
本発明の要旨とするところは、カーテン支持部から垂下するカーテンにおいて、該カーテンの幅方向の少なくとも両側に昇降コードが上下方向に配され、各該昇降コードの下端部がカーテンの下部にそれぞれ固定され、各該昇降コードが該カーテンの上縁部に設けられた案内部を挿通して該上縁部の片側に配された方向転換ガイド側に延長され、該方向転換ガイドを経て下方に延長され、下方に延長された該昇降コードの束をまとめたコード束を下方に引くことにより、該カーテンがひだ状に重なって引き上げられるものであって、
前記コード束を挿通させたパイプと、
前記コード束の先端と前記パイプの下端との間で前記コード束に一時的に固定されて、前記コード束が該カーテンにかかる重力で上昇方向に付勢されると前記パイプの下端に当接して前記コード束の上昇を止めるストッパと
を備えるカーテン昇降操作構造であることにある。
【０００８】
前記パイプは前記方向転換ガイドの近傍から垂下され得る。
【０００９】
前記パイプは前記方向転換ガイドに係止され得る。
【００１０】
前記カーテン昇降操作構造においては、前記パイプの一端部に前記ストッパが固定され得る。
【００１１】
前記パイプは可撓性であり得る。
【００１２】
前記カーテン昇降操作構造においては、前記カーテン支持部で、前記カーテンが面ファスナーを介して施工壁面に着脱自在に接合され得る。
【発明の効果】
【００１３】
本発明によると、開閉機構の安定性の確保とコストの極小化を実現し、かつカーテンが設置される家屋の開口部の上縁の高さが人の手の届く高さを超えていても容易に開閉操作できるカーテン構造が提供される。
【発明を実施するための最良の形態】
【００１４】
本発明のカーテン昇降操作構造の実施形態について、図面を使用して説明する。なお、本明細書においては、各図にわたって記される同じ符号は同一又は同様の部材やものを示す。図１に示すように、本発明のカーテン昇降操作構造１においては、カーテン２が、家屋の開口部の上縁付近に配された、長手方向を水平にした帯状のカーテン支持部２１から垂下する。カーテン支持部２１においては、カーテン２の上縁部裏面と壁面とが面ファスナ３１を介して着脱自在に接合されている。カーテン２の両側及び中央に、昇降コード２２ａ、２２ｂ、２２ｃが上下方向に配され、昇降コード２２ａ、２２ｂ、２２ｃそれぞれの下端部２４ａ、２４ｂ、２４ｃがカーテン２の下部のひだ位置決め部１１、１１、１１にそれぞれ固定又は係合されている。
【００１５】
カーテン２は上下方向に配された昇降コード２２ａ、２２ｂ、２２ｃをそれぞれ挿通させる、ひだ位置決め孔部１２を備えている。ひだ位置決め孔部１２は、昇降コード２２ａ、２２ｂ、２２ｃに対応して所定の間隔で上下に配列して設けられている。又、昇降コード２２ａ、２２ｂそれぞれが、カーテン２の上縁部２５に設けられた案内部２６ａ、２６ｂを挿通してその上縁部２５の片側に配された方向転換ガイド２８側に延長されて更に方向転換ガイド２８を挿通している。昇降コード２２ｃは、方向転換ガイド２８を挿通している。方向転換ガイド２８を挿通した昇降コード２２ａ、２２ｂ、２２ｃが下方に延長され、下方に延長された昇降コード２２ａ、２２ｂ、２２ｃの束はまとめられて上下方向に配されたコード束３０となっている。コード束３０を下方に引くことにより、カーテン２が折り目方向を水平にしたひだ状に重なって引き上げられる。
【００１６】
又、コード束３０は、パイプ４０の中空部を挿通している。コード束３０の先端４２には先端つまみ４４が固定されている。パイプ４０の下端４６とコード束３０の先端４２との間には、コード束３０を挿通させてコード束３０に一時的に固定可能な、ストッパ８が配されている。
【００１７】
図２に示すように、コード束３０がカーテン２が全開の状態になるように引き上げられると、コード束３０がカーテン２にかかる重力で上昇方向に付勢される。カーテン２が全開の状態でストッパ８をパイプ４０の下端４６に当接する位置でコード束３０に一時的に固定してコード束３０の上昇が止められる。これによりカーテン２が全開の状態を保つ。このとき、パイプ４０の上端４８は方向転換ガイド２８に当接する。又、カーテン２を閉じるときはストッパ８をリリースしてカーテン２が自重で降りるようにする。
【００１８】
カーテン２が全開の状態で保つための、ストッパ８の一時的固定の操作のためには、この状態で一時的に固定されるストッパ８の位置は踏み台等を使用しない限りは人の手の届く高さＨであることが必要である。しかし、方向転換ガイド２８の床面からの高さはストッパ８の高さにパイプ４０の長さＬを加えたものになる。よって、本発明のカーテン昇降操作構造１を適用できる家屋の開口部７２の上縁７４の床面からの高さＨＨも、人の手の届く高さを超えたものになる。
【００１９】
カーテン支持部２１の構成の一例を図３の側面断面模式図で示す。家屋の壁面２４０と、カーテン２とがオス部材３３とメス部材３５とから成る面ファスナー３１を介して接合される。オス部材３３とメス部材３５の各裏面にはそれぞれ粘着層３７が設けられており、施工当初において、オス部材３３が粘着層３７を介して壁面２４０に接着固定され、メス部材３５がカーテン２の上縁部裏面に接着固定される。
【００２０】
これにより、カーテン２の着脱が従来のレール方式による横スライド型のカーテンに比べ容易になる。又、施工当初における壁面２４０へのカーテンの取り付けも、壁面２４０への工事は不要で粘着剤付きのメス部材３５を壁面２４０の所定の位置に貼着するだけで済み、極めて容易である。
【００２１】
本発明の態様における、カーテン昇降操作構造１の各部分の構成の具体例を以下に示す。なお、カーテン昇降操作構造１の各部分の構成は以下に示すものに限定されず、当業者の知識に基づき種々なる改良、修正、変更を加えた態様で実施できるものである。
【００２２】
図４にひだ位置決め孔部１２の構成を２例（図４（ａ）、図４（ｂ）、）示す。図４（ａ）に示すひだ位置決め孔部１２ａにおいては、カーテン２に互いに近接して２個のハトメ孔８０、８０が形成され、昇降コードＳ（昇降コード２２ａ、２２ｂ、２２ｃ）がハトメ孔８０、８０を挿通している。図４（ｂ）に示すひだ位置決め孔部１２ｂにおいては、カーテン２にカーテン２の幅方向に折り目を有するひだ８２を形成し、ひだ８２を構成するカーテン地をその根元８３で縫合し、ひだ８２を貫通するハトメ孔８４を設けて、ハトメ孔８４に昇降コードＳを挿通させている。
【００２３】
図５に、方向転換ガイド２８の構成を示す。図５（ａ）は正面図、図５（ｂ）は側面図である。方向転換ガイド２８は、カーテン２に固定する固定用板９０と、固定ガイドロール９２と、固定ガイドロール９２を固定ガイドロール９２の両端で挟持固定する一対の側壁９６、９７と、側壁９６、９７同士を連結する上板９８を有するコの字型のホルダー９４とで構成される。ホルダー９４は上板９８を上にして、側壁９６をカーテン２の表面に密着させ、固定ガイドロール９２の軸心をカーテン２の表面に直交させ、上板９８の下がわに固定ガイドロール９２が位置するように配される。固定用板９０は側壁９６に面一に連接されている。方向転換ガイド２８は固定用板９０、リベット２０１を介してカーテン２に固着されている。
【００２４】
昇降コード２２ａ、２２ｂ、２２ｃが、上板９８と固定ガイドロール９２との間の隙間２０２に挿通された後、コード束３０となって下方に延出される。
【００２５】
固定ガイドロール９２に代えて回転ロールが用いられてもよい。
【００２６】
なお、案内部２６ａ、２６ｂ（図１）も、挿通させる昇降コードの本数は異なるが、構成は方向転換ガイド２８と同様である。
【００２７】
図６（ａ）の分解図、図６（ｂ）の正面図にストッパ８の態様を示す。ストッパ８は、ピストン状の中円柱部２１０と、中円柱部２１０が挿入されるシリンダ状の外筒部２１２と、コイルばね２１２とから構成される。中円柱部２１０は、円柱体２１１を備えて成り、円柱体２１１を自身の軸心と直交方向に貫通する貫通孔２１４が形成されている。円柱体２１１の図面視上端には中円柱部２１０を軸心方向に押し下げるための押し板２１６が備えられる。円柱体２１１の図面視下端面２１８からは、第一芯棒２２０が突出している。
【００２８】
外筒部２１２は有底の筒体２１９から成り、筒体２１９を自身の軸心と直交方向に貫通する貫通穴２２２が形成されている。外筒部２１２の内底面からは、中空部に向けて第二芯棒２２４が突出している。
【００２９】
中円柱部２１０が外筒部２１２に挿入され、コイルばね２１２に、図面視上から第一芯棒２２０が挿入され、図面視下から第二芯棒２２４が挿入される。これにより、中円柱部２１０が外筒部２１２と離れる方向に付勢される。
【００３０】
図６（ｂ）の正面図に示すように、コード束３０を貫通孔２１４と貫通穴２２２とに挿通させ放置すると、コイルばね２１２の付勢力により、コード束３０が貫通孔２１４の周面と貫通穴２２２の周面とで挟持されて、コード束３０がストッパ８に一時的に固定される。押し板２１６を押し下げると、コード束３０を挟持する力が開放され、ストッパ８がコード束３０の長手方向に摺動自在となる。
【００３１】
図７に、コード束３０がカーテン２（図２）が全開の状態になるように引き上げられ、ホルダー９４の下端にパイプ４０の上端が当接し、パイプ４０の下端にストッパ８が当接している状態の配置の詳細な構成を示す。コード束３０はストッパ８により把持されている。なお、図中のホルダー９４とパイプ４０との間、及びパイプ４０とストッパ８との間の隙間は連接状態の図示と区別する意味であり、実際は当接状態である。
【００３２】
図８に、コード束３０がカーテン２（図２）が全開の状態になるように引き上げられている状態の構成の他の態様を示す。図８においては、ストッパ８がパイプ４０に固定され、ホルダー９４の下端にパイプ４０の上端が当接している。コード束３０はストッパ８により把持されている。なお、図中のホルダー９４とパイプ４０との間の隙間は連接状態の図示と区別する意味であり、実際は当接状態である。
【００３３】
図９に、コード束３０がカーテン２（図２）が全開の状態になるように引き上げられている状態の構成の更に他の態様を示す。図９においては、ストッパ８がパイプ４０に固定され、更にパイプ４０がホルダー９４に固定されている。コード束３０はストッパ８により把持されている。
【００３４】
又、図１０に示すように、パイプ４０が互いに係合する係合部材２３０、２３２を介して方向転換ガイド２８に吊り下げられるように係合して、方向転換ガイドの近傍から垂下していてもよい。図１０においては、方向転換ガイド２８が、側壁９６からカーテン２の方向転換ガイド２８が設置されるがわの側縁に向けて横方向に延出されたベース板２３４を備え、ベース板２３４に係合部材２３０が固定され、パイプ４０に係合部材２３０が固定されている。係合部材２３２はパイプ４０の上端に固定されている。
【００３５】
本発明の又他の態様においては、パイプ４０が係合部材２３０のような部材を介して方向転換ガイド２８の近傍の位置でカーテン２に係合されていてもよい。
【００３６】
本発明の更に他の態様においては、図１１に示すように、パイプ４０が連結部材２３９、ベース板２３４を介して直接方向転換ガイド２８に固定されていてもよい。
【００３７】
更に又、図１２に示すように、パイプ４０が家屋の壁面２４０に固定された係合部２３６を介してカーテン２の上縁近傍の壁面２４０から吊り下げられ、方向転換ガイドの近傍から垂下して、壁面２４０に係合していてもよい。図１２においては、係合部２３６が、壁面２４０に固着されたフック部２４２と、フック部２４２のフック２４３に懸架されて垂下する吊糸２４４とから構成される。又、パイプ４０の上端に吊糸２４４と係合する半環部材２４６が備えられている。
【００３８】
本発明の更に別の態様においては、図１３に示すように、パイプ４０が連結部材２４３を介しして直接壁面２４０に固定されていてもよい。
【００３９】
本発明のカーテン昇降操作構造に用いられるパイプ４０は、剛直な金属管や樹脂管であってもよい。軽量化のためにガラス繊維や炭素繊維等の構造材繊維を用いた複合材から成る管であってもよい。更に、操作の安全性や保管、運搬の容易性からみて、可撓性の樹脂管であってもよい。あるいは、網状管状物やコイルスプリング状の管状物で周壁が強化された可撓性の樹脂管であってもよい。又、パイプは図１４に示すように、先端が曲ったパイプ４０ａであってもよい。パイプ４０ａを用いると、壁面からやや離れたところからでも開閉の操作ができる。
【００４０】
その他、本発明は、主旨を逸脱しない範囲で当業者の知識に基づき種々なる改良、修正、変更を加えた態様で実施できるものである。
【産業上の利用可能性】
【００４１】
本発明のカーテン昇降操作構造は、ひだ状に引き上げるカーテンのみならずブラインド方式のカーテンにも適用出来る。
【図面の簡単な説明】
【００４２】
【図１】本発明のカーテン昇降操作構造の構成を示す斜視図である。
【図２】本発明のカーテン昇降操作構造における、カーテン２が全開の状態を示す斜視図である。
【図３】本発明のカーテン昇降操作構造における、カーテン支持部の構成の一例を示す側面断面模式図である。
【図４】（図４（ａ）は本発明のカーテン昇降操作構造におけるひだ位置決め孔部の構成の一例を示す断面模式図であり、図４（ｂ）は他の一例を示す断面模式図である。
【図５】図１のカーテン昇降操作構造に用いられる方向転換ガイドの構成を示し、図５（ａ）は正面図、図５（ｂ）は側面図である。
【図６】図１のカーテン昇降操作構造に用いられるストッパの態様の一例を示し、図６（ａ）は分解図、図６（ｂ）は正面図である。
【図７】本発明のカーテン昇降操作構造において、コード束がカーテンが全開の状態になるように引き上げられた状態の詳細な態様を示す説明図である。
【図８】本発明のカーテン昇降操作構造において、コード束がカーテンが全開の状態になるように引き上げられた状態の他の態様を示す説明図である。
【図９】本発明のカーテン昇降操作構造において、コード束がカーテンが全開の状態になるように引き上げられた状態の更に他の態様を示す説明図である。
【図１０】本発明のカーテン昇降操作構造において、パイプが方向転換ガイドに吊り下げられる場合の態様の一例を示す説明図である。
【図１１】本発明のカーテン昇降操作構造において、パイプが方向転換ガイドに固定される場合の態様の一例を示す説明図である。
【図１２】本発明のカーテン昇降操作構造において、パイプが方向転換ガイドの近傍から吊り下げられる場合の態様の一例を示す説明図である。
【図１３】本発明のカーテン昇降操作構造において、パイプが方向転換ガイドの近傍に固定される場合の態様の一例を示す説明図である。
【図１４】本発明のカーテン昇降操作構造に用いられるパイプの形状の異なる態様の一例を示す斜視図である。
【図１５】従来のカーテン構造を示す斜視図である。
【図１６】図１５のカーテン構造において、カーテンが全開の状態を示す斜視図である。
【符号の説明】
【００４３】
１：カーテン昇降操作構造
２、１０２：カーテン
８、１０８：ストッパ
２１、１２１：カーテン支持部
２２ａ、２２ｂ、２２ｃ、１２２ａ、１２２ｂ、１２２ｃ：昇降コード
２５、１２５：上縁部
２６ａ、２６ｂ、１２６ａ、１２６ｂ：案内部
２８、１２８：方向転換ガイド
３０、１３０：コード束
３１：面ファスナー
４０：パイプ
１００：カーテン構造
【図１】
2006006714.tif 000003
【図２】
2006006714.tif 000004
【図３】
2006006714.tif 000005
【図４】
2006006714.tif 000006
【図５】
2006006714.tif 000007
【図６】
2006006714.tif 000008
【図７】
2006006714.tif 000009
【図８】
2006006714.tif 000010
【図９】
2006006714.tif 000011
【図１０】
2006006714.tif 000012
【図１１】
2006006714.tif 000013
【図１２】
2006006714.tif 000014
【図１３】
2006006714.tif 000015
【図１４】
2006006714.tif 000016
【図１５】
2006006714.tif 000017
【図１６】
2006006714.tif 000018